(57)【特許請求の範囲】
【請求項１】
脚の上端に固定したベースと、背もたれが取り付くと共に弾性手段に抗して後傾動するように前記ベースに取り付けられた揺動フレームと、前記背もたれの後傾動に連動して後傾しつつ後退するように前記ベースと揺動フレームとに連結された中間金具と、前記中間金具及び揺動フレームで支持された座体とを備えており、前記座体は、合成樹脂製のインナーシェルとその上面に張ったクッションとで構成されており、更に、前記座体のインナーシェルは前部インナーシェルと後部インナーシェルとに分離しており、これら前後インナーシェルは、側面視で屈曲し得るように当該前後インナーシェルの下面よりも高い位置で連結されている、という椅子であって、
前記中間金具の後傾度合いが揺動フレームの後傾度合いよりも小さくなっている一方、着座した人の座骨が前部インナーシェルの後部に当たり得るように前部インナーシェルの前後寸法が後部インナーシェルの前後寸法よりも大きい寸法に設定されており、更に、前記前部インナーシェルは中間金具に前後スライド可能に支持されて、後部インナーシェルは前記揺動フレームに取り付けられており、背もたれの後傾動に際して、後部インナーシェルが前部インナーシェルよりも大きな度合いで後傾すると共に、前部インナーシェルが後部インナーシェルによって後ろ向きに引っ張られる、
椅子。
【請求項２】
前後両インナーシェルは、その左右両端部が高くなるようにそれぞれ正面視で上向き凹状に湾曲しており、これら前後インナーシェルを、その左右両端部において連結している、
請求項１に記載した椅子。
【発明の詳細な説明】
【０００１】
【発明の属する技術分野】
本発明は、背もたれの後傾動に連動して座体が後退動（及び後傾動）するシンクロタイプの椅子に関し、特に座部の構造に関するものである。
【０００２】
【従来の技術】
シンクロ構造の椅子において、背もたれの後傾動に連動して座体の全体が後傾すると、ロッキング時に人の大腿部に圧迫感を与える虞がある。
【０００３】
そこで、座体を屈曲可能な構造として、前部と後部との後傾角度を異ならせることが行われており、その例として、実公昭４−６５９６号公報や特公平４−６８９３２号公報には、座体が後傾するシンクロ機構において、座体を構成するインナーシェル（座板）を前後に分割し、これらを屈曲可能に連結することが記載されている。
【０００４】
【発明が解決しようとする課題】
ところで、ロッキング時に人の背と背もたれとが相対動することにより、人のシャツが引っ張られるいわゆるシャツめくれ（或いは背ずれ）の現象が生じて人に不快感を与えることがあり、この現象を無くすためには、背もたれの後傾動に追従して座体を後退させることが必要である。
【０００５】
しかし、従来のシンクロ機構の椅子は、このような要請に応えることはできず、このため、ロッキング機能の向上に限度があった。
【０００６】
本発明は、このような現状に鑑みなされたもので、いわゆるシャツめくれ（或いは背ずれ）の現象を防止又は著しく改善した椅子を提供することを目的とするものである。
【０００７】
【課題を解決するための手段】
本願発明の椅子は、脚の上端に固定したベースと、背もたれが取り付くと共に弾性手段に抗して後傾動するように前記ベースに取り付けられた揺動フレームと、前記背もたれの後傾動に連動して後傾しつつ後退するように前記ベースと揺動フレームとに連結された中間金具と、前記中間金具及び揺動フレームで支持された座体とを備えており、前記座体は、合成樹脂製のインナーシェルとその上面に張ったクッションとで構成されており、更に、前記座体のインナーシェルは前部インナーシェルと後部インナーシェルとに分離しており、これら前後インナーシェルは、側面視で屈曲し得るように当該前後インナーシェルの下面よりも高い位置で連結されている。
【０００８】
そして、請求項１では、前記中間金具の後傾度合いが揺動フレームの後傾度合いよりも小さくなっている一方、着座した人の座骨が前部インナーシェルの後部に当たり得るように前部インナーシェルの前後寸法が後部インナーシェルの前後寸法よりも大きい寸法に設定されており、更に、前記前部インナーシェルは中間金具に前後スライド可能に支持されて、後部インナーシェルは前記揺動フレームに取り付けられており、背もたれの後傾動に際して、後部インナーシェルが前部インナーシェルよりも大きな度合いで後傾すると共に、前部インナーシェルが後部インナーシェルによって後ろ向きに引っ張られる。
【０００９】
また、請求項２の発明では、請求項１において、前後両インナーシェルは、その左右両端部が高くなるようにそれぞれ正面視で上向き凹状に湾曲しており、これら前後インナーシェルを、その左右両端部において連結している。
【００１０】
【発明の作用・効果】
本願発明では、座を構成する前後インナーシェルは背もたれの後傾動に連動して後退動及び後傾動するが、後部インナーシェルの後傾度合いが前部インナーシェルの後傾度合いよりも大きく、かつ、後部インナーシェルが前部インナーシェルに対して相対的に後傾することによって前部インナーシェルが後方に引っ張られるため、前部インナーシェルは後部インナーシェルに対して相対的に後傾動せずに後退動することになり、そのため、人の下半身を背もたれの後傾動に追従して的確に後退させることができ、その結果、いわゆるシャツめくれ又は背ずれの現象を防止又は著しく改善し得る。
【００１１】
請求項２の構成では、前後インナーシェルは左右両端部の高い位置で連結されているため、後部インナーシェルが後傾すると、両インナーシェルの連結箇所は回動方向に大きく移動することになり、このため、前部インナーシェルは、後部インナーシェルの後傾動により、後部インナーシェルに対して接近動する。
【００１２】
換言すると、前部インナーシェルは、後部インナーシェルの後退動により、後部インナーシェルよりも多く後退動するのであり、このため、前後インナーシェルは、その間隔を狭めながら後退動する（前後インナーシェルの間隔は、左右中央部ほど大きく狭まり、連結箇所では変化はない）。
【００１３】
そして、着座した人の下半身はその大部分が前部インナーシェルで支持されているため、前部インナーシェルが後部インナーシェルよりも大きく後退動することにより、シャツめくれ又は背ずれの現象をより的確に防止することができ、更に、前後インナーシェルがその連結箇所で屈曲するに際して人の臀部に違和感（突き上げ感）を与えることもない。
【００１４】
【００１５】
【発明の実施形態】
次に、本発明の実施形態を図面に基づいて説明する。図１は椅子の右側面図、図２（Ａ）は縦断右側面図、図３及び図４は分離斜視図であり、まず、これらの図に基づいて椅子の基本構造を説明する。
【００１６】
(1).基本構造
椅子は、ガスシリンダー等の脚支柱１を備えた脚２と、脚支柱２の上端に固定した上向き開口のベース３と、ベース３に上方から被さる中間金具４と、中間金具４の後方に配置した揺動フレーム５と、中間金具４と揺動フレーム５とで支持した座体６と、揺動フレーム５に取り付けた背部７とを備えている。脚支柱１は脚カバー８で覆われており、ベース３はベースカバー９で下方から覆われている。
【００１７】
ベース３の底面には第１ブラケット１０が固着されており、この第１ブラケット１０とベース３とに固定したブッシュ１１に脚支柱１の上端を嵌着している。また、ベース３における左右両側板３ａの前部には前後長手の長穴１２が空いており、この長穴１２と中間金具４の側板４ａとに第１軸１３が挿入されている。
【００１８】
ベース３の下面には正面視下向き開口コ字状の第２ブラケット１４を溶接等によって固着している一方、揺動フレーム５は、第２ブラケット１４の外側に位置する側板５ａを備えており、揺動フレーム５の前端部を、第２軸１５によって第２ブラケット１４に後傾動自在に取付けている。また、揺動フレーム５と中間金具４とは第３軸１６によって連結されている。
【００１９】
図２に示すように、ベース３の後部には、揺動フレーム５を貫通した下向きのロッド１７が抜け不能に取付けられており、このロッド１７の先端部に設けたばね受け１８で、弾性手段の一例としてのコイルばね１９を支持しており、コイルばねで揺動フレーム５を受けている。コイルばねはホルダー１９′に嵌まっている。
【００２０】
揺動フレーム５の後部には、左右方向に広がる翼状の受け板２０を固着しており、この受け板で座体６の後部が包まれた状態になっている。
【００２１】
背部７は、着座した人の腰を包むような形状の腰部アウター部材２１と、これに取付けた背もたれ２２とからなっており、図４に示すように、腰部アウター部材２１には、脚カバー８に嵌まる凹所２４と、ばねのホルダー１９′が嵌まる穴２５が形成されている。
【００２２】
そして、腰部アウター部材２１に設けた左右一対ずつの締結片２６，２７に、揺動フレーム５の受け板２０をねじ（図示せず）で締結している。また、腰部アウター部材２１には、揺動フレーム５の側板５ａに嵌合して位置決めを行う規制部２８，２９を設けている。
【００２３】
受け板２０における傾斜部の外面に、肘掛け（図示せず）の支柱をねじで取付けるようになっている。このため、受け板２０の傾斜部と腰部アウター部材２１との間には隙間が空いている。
【００２４】
背もたれ２２は、アウターシェル２２ａ（図１参照）と、その内側に配置したインナーシェル２２ｂと、その前面に張ったクッション２２ｃとから成っており、インナーシェル２２ａを爪等を備えた係合手段によって腰部アウター部材２１に着脱自在に取付けている。図４では、係合手段として、腰部アウター部材２１に設けた第１及び第２係止爪３１，３２のみを表示している。
【００２５】
(2).座体の取付け構造
図２に示すように、座体６は、ポリプロピレン等の合成樹脂からなるインナーシェル（座板又は底板と言い換えてもよい）３４と、その上面に張ったクッション３５とからなっており、インナーシェル３４は、前部インナーシェル３４ａと後部インナーシェル３４ｂとに分割されている。
【００２６】
以下、図５以下の図も参照して座体６について説明する。図５は分離した状態の平面図、図６は図５のVI−VI視図、図７は分離した状態の底面図、図８は前部インナーシェル３４ａを裏返した状態での斜視図、図９は連結した状態での部分平面図、図１０は図９の X-X視側面図、図１１は座部の正面図、図１２は図１１のXII-XII 視断面図である。
【００２７】
図６及び図１１に示すように、前後インナーシェル３４ａ，３４ｂとも、人の身体（臀部）にフィットするように正面視で上向き凹状に形成されている。また、図５や図７に示すように、前部インナーシェル３４ａの後部は平面視で後ろ向き凸状に形成されている一方、後部インナーシェル３４ｂの前面は平面視で前向き凹状に形成されている。
【００２８】
そして、図５や図９に示すように、前部インナーシェル３４ａの後部のうち高さの高い左右両端部に下向き鉤状の連結用係止爪３６を設ける一方、後部インナーシェル３４ｂの後部のうち高さの高い左右両端部には、前記連結用係止爪３６が上方から嵌まる受け部３７を形成している。
【００２９】
図２や図９に示すように、前後インナーシェル３４ａ，３４ｂを連結した状態では、両者の間のスリット状の隙間３８が空いている。
【００３０】
図２に示すように、後部インナーシェル３４ｂの後端には、受け板２０の後端部に引っ掛かる第１係合爪３９を形成している。
【００３１】
また、図２や図５，図７等に示すように、後部インナーシェル３４ｂの後端のうち第１係合爪３９を挟んだ両側には上向きの第２係合爪５１を形成しており、この第２係合爪５１を、腰アウター部材２１に形成した係止リブ５２を係合させている。第２係合爪５１の左右両側にはスリット５１′が形成されており、このため、第２係合爪５１を容易に係脱させることができる。
【００３２】
図６〜図７に示すように、前部インナーシェル３４ａの前部には、中間金具４の上面に当たる当接部（スライダー）４０と、中間金具４の前端部に前方から嵌合する係止爪４１とを形成している。
【００３３】
図２及び図８に示すように、係止爪４１の箇所には、上向きの鉤部５３が形成されている。これは、図２に示すように、座用カバー（座用アウターシェル）５４を取付けるためのもので、座用カバー５４の前部に形成した後ろ向き片５４ａに、上向き鉤部５３に嵌合する切欠き部５５を形成している。このため、座用カバー５４は、その前部において落下不能で左右ずれ不能に保持されている。
【００３４】
座用カバー５４は、インナーシェル３４の略前半分程度の周囲を囲うように平面視で後ろ向きコ字状に形成されており、その左右両側部には前後一対ずつの上向き鉤状爪５６が形成されており、この鉤状爪５６を前部インナーシェル３４ａの左右両側部に形成した係合部５６ａに嵌め込んでいる。従って、座用カバー５４は、左右２ヶ所と前部の２ヶ所とで前部インナーシェル３４ａに取り付けられており、このため、ガタ付きなく強固に取付けられる。
【００３５】
また、前部インナーシェル３４ａの下面には、中間金具４の外側面に密接した状態で前後方向に延びる縦リブ４２を形成している。縦リブ４２も補強の役割を果たしている。前部インナーシェル３４ａの下面には、更に縦横に延びる多数本の補強リブ４３を形成している。（後部インナーシェル３４ｂの下面にも補強リブが形成されているが、この点は省略している）。
【００３６】
図２及び図１２に示すように、座体６が前進し切った状態では、中間金具４の前端面と係止爪４１との間にはある程度の隙間が空いている。なお、座体６の取付けは、前部インナーシェル３４ａの係止爪４１を中間金具４に前方から嵌め込んでから、後部インナーシェル３４ｂの両係合爪３９，５１を弾性に抗して受け板２０後端と係止リブ５２とに押し込み係合させる、というワンタッチ的な作業で行える。
【００３７】
(3).動きの説明
以上の構成において、着座した人が背もたれ２２にもたれ掛かると、背もたれ２２及び腰部アウター部材２１は一体になって後傾すると共に、座体６は後傾しつつ後退する。
【００３８】
この場合、後部インナーシェル３４ｂの受け部３６で前部インナーシェル３４ａの連結用係止爪３６が下方から支持されているため、前部インナーシェル３４ａの後部と後部インナーシェル３４ｂの前部との相対的な高さは一定のままで、前後インナーシェル３４ａ，３４ｂは後退しつつ後傾する。
【００３９】
そして、揺動フレーム５の後傾角度よりも中間金具４の後傾角度が小さいため、後部インナーシェル３４ｂの後傾度合いが前部インナーシェル３４ａの後傾度合いよりも大きい。すなわち、前後インナーシェル３４ａ，３４ｂは、その相対的な角度を変えながら後退しつつ後傾する。
【００４０】
その場合、図１０に模式的に示すように、前後インナーシェル３４ａ，３４ｂの連結箇所は当該両インナーシェル３４ａ，３４ｂの下面よりも高さが高いため、後部インナーシェル３４ｂがある角度θだけ後傾すると、後部インナーシェル３４ｂの受け部３７はある距離Ｌだけ回動方向に移動することになり、このため、後部インナーシェル３４ｂが前部インナーシェル３４ａに対して相対的に後傾することにより、前部インナーシェル３４ａは後方に引っ張られる。
【００４１】
このように、前後インナーシェル３４ａ，３４ｂが屈曲することにより、前部インナーシェル３４ａは後部インナーシェル３４ｂよりも多く後退動するのであり、その結果、シャツめくれ現象を防止又は著しく改善できる。
【００４２】
また、中間金具４の前端と係止爪４１との間に間隔が空いていることと、両インナーシェル３４ａ，３４ｂの間に隙間３８が空いていることとにより、前部インナーシェル３４ａが後部インナーシェル３４ｂに対して相対的に後退動することが許容される。
【００４３】
なお、前部インナーシェル３４ａに設けた補強用の縦リブ４２が中間金具４に左右から嵌まっているため、椅子の使用に際して座体６が左右にぶれることはなく、このため、使用者は椅子を快適に使用することができる。
【００４４】
前部インナーシェル３４ａが後傾し切ると、その後部が腰用アウター部材２１における平坦部２１ａ（図４参照）で支持されるように設定している。このため、後部インナーシェル３４ｂに過大が荷重がかかることはない。
【００４５】
インナーシェル３４ａ，３４ｂを上向き凹状に形成していない場合は、前部インナーシェル３４ａにおける後部の左右両端部と、後部インナーシェル３４ｂにおける前部の左右両端部とに上向きの突起を設け、これらの突起をピン等で連結することにより、本実施形態と同じ作用を得ることができる。
【００４６】
(4).その他
本発明は上記の実施形態の他にも様々に具体化できる。例えば、前部インナーシェルを更にその前後中途部で屈曲し得る構造として、当該前部インナーシェル３４ａの前部を水平の姿勢のままに保持することも可能である。
【００４７】
【００４８】
また、インナーシェルの前後分割に対応して、クッション（及び表皮）を前後に分けることも可能である。
【図面の簡単な説明】
【図１】本発明に係る椅子の側面図である。
【図２】 (A)は椅子の縦断側面図、 (B)は座用カバーの側断面図である。
【図３】ベースと中間金具と揺動フレームの分離斜視図である。
【図４】揺動フレームと背受け部材との分離斜視図である。
【図５】インナーシェルの分離平面図である。
【図６】図５のVI−VI視図である。
【図７】インナーシェルの分離底面図である。
【図８】前部インナーシェルの裏返した状態での斜視図である。
【図９】連結した状態でのインナーシェルの部分平面図である。
【図10】図９の X-X視図である。
【図11】座部の正面図である。
【図12】図１１のXII-XII 視断面図である。
【符号の説明】
３  ベース
４  中間金具
５  揺動フレーム
６  座体
７  背部
２１  腰部アウター部材
２２  背受け
３４  インナーシェル
３４ａ  前部インナーシェル
３４ｂ  後部インナーシェル
３６  連結用係止爪
３７  受け部
【図１】
0003863353.tif 000002
【図２】
0003863353.tif 000003
【図３】
0003863353.tif 000004
【図４】
0003863353.tif 000005
【図５】
0003863353.tif 000006
【図６】
0003863353.tif 000007
【図７】
0003863353.tif 000008
【図８】
0003863353.tif 000009
【図９】
0003863353.tif 000010
【図１０】
0003863353.tif 000011
【図１１】
0003863353.tif 000012
【図１２】
0003863353.tif 000013